(57)【要約】【課題】回路基板と接続するためのコネクタ線を不要として工数及び部品点数の低減を図ると共に誤配線を確実に防止するようにした端子台を提供する。【解決手段】回路基板２２が収納されている電装ボックス内に取り付けられ、ケース１２に収納された端子１５の先端部に回路基板側の電気回路が接続され、基端部に外部電線の端末が着脱可能に接続される端子台１１であって、ケース１２は、上下に開口し、前壁１２ａが斜め下方に傾斜し内側に前記傾斜に沿って下端から斜め上方に略中央まで延びる端子収納部１３が形成され、前壁の傾斜する下面１２ｂに端子収納部の下側に開口して電線の端末を挿入する挿入孔１２ｇが設けられ、端子１５は、端子収納部の傾斜に応じて略中央から折曲され、基端部が端子収納部に収納固定されて電線の端末が接続可能とされ、先端部１５ｆが、端子収納部から略水平にケースの後壁近傍まで延出されて回路基板に実装されたねじ端子２３にボルト２４により接続固定される構成としたものである。【選択図】　　　図５
2004022465.tif 000002
【特許請求の範囲】
【請求項１】
回路基板が収納されている電装ボックス内に取り付けられ、ケースに収納された端子の先端部に前記回路基板側の電気回路が接続され、基端部に外部の電線の端末が着脱可能に接続される端子台であって、
前記ケースは、上下に開口し、前壁が斜め下方に傾斜し内側に前記傾斜に沿って下端から斜め上方に略中央まで延びる端子収納部が形成され、前記前壁の傾斜する下面に前記端子収納部の下側に開口して前記電線の端末を挿入する挿入孔が設けられ、
前記端子は、前記端子収納部の傾斜に応じて略中央から折曲され、基端部が前記端子収納部に収納固定されて前記電線の端末が接続可能とされ、先端部が、前記端子収納部から略水平に前記ケースの後壁近傍まで延出されて前記回路基板に実装されたねじ端子にボルトにより接続固定される
ことを特徴とする端子台。
【請求項２】
前記ケースは、前壁に取付孔が貫通して設けられ、前記前壁が前記回路基板を支持するフレームに前記取付孔を通してボルト固定されることを特徴とする請求項１に記載の端子台。
【請求項３】
前記ケースは、側壁の略中央から前側の下端が後側の下端よりも段差をなして下方に延出して形成され、段差面が前記回路基板を支持するフレームに係止されることを特徴とする請求項１又は２に記載の端子台。
【請求項４】
前記ケースは、側壁の外面略中央に上下方向に凸条が設けられ、前記回路基板を支持するフレームに設けられた凹溝に係合支持されることを特徴とする請求項１乃至３に記載の端子台。
【発明の詳細な説明】
【０００１】
【発明の属する技術分野】
本発明は、回路基板と外部電線との間に装着されてこれら両者を接続する端子台に関する。
【０００２】
【従来の技術】
例えば、空調装置の室内機と室外機とを電線で接続する場合、これらの室内機と室外機の各電装ボックス内に夫々端子台を取り付けて電線を介して接続し、室内機から室外機に電源を供給している。図８は、従来の端子台１を示し、ケース２内に収納された複数極例えば、＋電源、−電源、信号線（室外機のファンのオン／オフ）の取得用として３極のタブ端子３から構成され、各極のタブ端子３は、上下２枚のタブ端子３ａ、３ｂから成る。この端子台１は、前記室内機側の電装ボックスに装着される。前記室外機にも同様の端子台が装着される。
【０００３】
例えば、＋電源のコネクタ線７は、一端が回路基板の＋電源の回路パターンにハンダ付けされて接続され、他端に圧着接続された端子８が所定のタブ端子３の一方のタブ端子３ａに嵌合接続される。外部の電線９は、一側の端末９ａがケース２の挿入口２ａから挿入されてバネ４によりタブ端子３の基端部に圧接されて接続されると共に逸脱不能に係止され、他端の端末が室外機の端子台に同様にして接続される。
【０００４】
電線９は、端子台１に設けられたプッシャ５により、バネ４の押圧及び係止を解除して取り外し可能とされている。これは、室内機と室外機の取付距離がまちまちであり、電線９の取り付け・取り外しが容易とするためである。同様にして、−電源のコネクタ線、信号線、及び対応する電線が前記端子台１の対応するタブ端子に接続される。尚、他方のタブ端子３ｂは、特に室内機側で追加電源として別回路用電源を取得できるようにするためのもので、必ずしも使用するものではない。
【０００５】
【発明が解決しようとする課題】
上記従来の端子台１においては、コネクタ線７を介して回路基板と接続するため、極数分のコネクタ線７を必要とし、コネクタ線７の加工（電線７のカット・被覆剥ぎ、端子８との圧着等）工数、及び部品点数が多くなり、コストの上昇を来している。
【０００６】
更に、端子台１の各タブ端子３に夫々配線させるべくコネクタ線７が割り当てられているが、誤配線をする虞がある。タブ端子３とコネクタ線７との接続確認は、夫々コネクタ線７を色分けする等の工夫を施しているが、目視による識別であるために誤配線を確実に防止することができない。
本発明は、上述の点に鑑みてなされたもので、回路基板と接続するためのコネクタ線を不要として工数及び部品点数の低減を図ると共に誤配線を確実に防止するようにした端子台を提供することを目的とする。
【０００７】
【課題を解決するための手段】
上記目的を達成するために請求項１の発明は、回路基板が収納されている電装ボックス内に取り付けられ、ケースに収納された端子の先端部に前記回路基板側の電気回路が接続され、基端部に外部の電線の端末が着脱可能に接続される端子台であって、前記ケースは、上下に開口し、前壁が斜め下方に傾斜し内側に前記傾斜に沿って下端から斜め上方に略中央まで延びる端子収納部が形成され、前記前壁の傾斜する下面に前記端子収納部の下側に開口して前記電線の端末を挿入する挿入孔が設けられ、前記端子は、前記端子収納部の傾斜に応じて略中央から折曲され、基端部が前記端子収納部に収納固定されて前記電線の端末が接続可能とされ、先端部が、前記端子収納部から略水平に前記ケースの後壁近傍まで延出されて前記回路基板に実装されたねじ端子にボルトにより接続固定されることを特徴とする。
【０００８】
請求項２の発明は、前記ケースは、前壁に取付孔が貫通して設けられ、前記前壁が前記回路基板を支持するフレームに前記取付孔を通してボルト固定されることを特徴とする。
請求項３の発明は、前記ケースは、側壁の略中央から前側の下端が後側の下端よりも段差をなして下方に延出して形成され、段差面が前記回路基板を支持するフレームに係止されることを特徴とする。
【０００９】
請求項４の発明は、前記ケースは、側壁の外面略中央に上下方向に凸条が設けられ、前記回路基板を支持するフレームに設けられた凹溝に係合支持されることを特徴とする請求項１乃至３に記載の端子台。
端子台は、フレームに支持されている回路基板の上方から各端子の先端部が回路基板に実装されている対応する各ねじ端子に載置され、ボルトにより接続固定される。これにより、端子と回路基板とがねじ端子により機械的及び電気的に接続される。これにより、端子と回路基板側との誤配線が確実に防止される。この状態において端子台の前壁が斜め下方を向いており、前壁下端面の挿入孔から接続すべき外部の電線の端末を挿入して端子の基端部に接続する。ケースの前壁が斜め下方に傾斜し、電線の挿入孔が前方斜め下方に開口していることで、電線装着の作業性の向上が図られる（請求項１）。ケースの前壁は、フレームに取付孔を通してボルト固定され、側壁の段差部が前記フレームに係止されることで、端子台が前記フレームに強固に固定される（請求項２、３）。更に、端子台をフレームに取り付ける際にケース側壁の外面略中央に設けられた凸条を前記フレームに設けられた凹溝に係合させることで、簡単に装着することができる（請求項４）。
【００１０】
【発明の実施の形態】
以下本発明の実施例を図面により詳細に説明する。
図１は、本発明に係る端子台の斜視図、図２は、図１の側面図、図３は、図２の矢線ＩＩＩ方向端面図、図４は、図２の矢線ＩＶ方向端面図、図５は、図３の矢線Ｖ―Ｖに沿う断面図である。
【００１１】
図１乃至図４に示すように、端子台１１は、ケース１２、ケース１２に収納された端子１５、スプリング１６、及びリセットプッシャ１７等により構成されている。この端子台１１は、例えば、＋電源、−電源、信号線用の３極とされており、これに応じて端子１５が３個設けられている。ケース１２は、上部及び下部が開口し、前壁１２ａが前方斜め下方に傾斜し、内側に前記傾斜に沿って下端面１２ｂから斜め上方に略中央まで端子収納部１３（図５）が幅方向に３つ並設されている。これらの端子収納部１３には端子１５の基端部が収納される。
【００１２】
図２に示すように側面１２ｃは、略中央部から前側の下端部１２ｃ’が後側の下端部１２ｃ”よりも段差をなして僅かに下方に延出されており、略中央部に上下方向に上端から下端まで係合用の凸条１２ｅが設けられている。ケース１２の端子収納部１３と後壁１２ｄとの間の空間は、絶縁用の隔壁１２ｆにより隣り合う端子収納部１３に対応して画成され、端子１５の先端部の収納部とされる。後壁１２ｄの下端１２ｄ’は、側壁１２ｃ及び隔壁１２ｆの下端１２ｃ”、１２ｆ’よりも上方に位置している（図５）。
【００１３】
図２及び図５に示すように前壁１２ａの下端面１２ｂは、当該前壁１２ａの傾斜に応じて前方斜め下方に傾斜する傾斜面をなし、側部１２ｃの前部１２ｃ’の下端に連設されている。この下端面１２ｂには図４及び図５に示すように各端子収納部１３の下側に開口し、外部の電線の端末を挿入するための挿入孔１２ｇが設けられている。前壁１２ａには図１、図３及び図５に示すように各端子収納部１３の上部に開口する窓１２ｈが穿設されている。これらの窓１２ｈは、端子１５と外部の電線との接続を目視により確認するためのものである。
【００１４】
更に、図１及び図３に示すように前壁１２ａには端子収納部１３を貫通して取付孔１２ｉが設けられている。取付孔１２ｉの下端周縁部は膨出してボス１２ｊとされている。また、図４に示すようにボス１２ｊの左側２つの端子収納部１３間の下面には隔壁１２ｆと対応して絶縁用の隔壁１２ｋが設けられている。このケース１２は、樹脂部材により形成されている。
【００１５】
図５に示すように端子１５は、略中央部が端子収納部１３の傾斜に応じて折曲されており、基端部が略コ字状に折曲されてその上部１５ａが挿入される電線の端末との接続部とされ、側部１５ｂの先端の上部及び下部が内方に直角に折曲されて前記端末のストッパ１５ｃ及びバネ１６の係止部１５ｄとされ、下部１５ｅが後方に延出し、略中央で折曲されて後方に水平に延出して先端部１５ｆが後述するねじ端子２３（図６）との接続部とされ、取付孔１５ｇが設けられている。この端子１５は、図５に示すように基端部がベース１２の端子収納部１３に収納固定され、先端部１５ｆが端子収納部１３の後端下部から水平に後壁１２ｄ近傍まで延出している。
【００１６】
図５に示すようにバネ１６は、端子１５の基端部に収納されてその下面が端子１５の下部１５ｅ内面に当接し、前後両端部が端子収納部１３の内面と端子１５の係止部１５ｄとにより係止され、先端部１６ａが端子１５の上部１５ａの内面と僅かな間隔を存して対向してストッパ１５ｃ近傍まで延出し、後端部１６ｂが上部１５ａの基端側内面と僅かな間隙を存し、且つ電線の挿入方向に沿って（先端１６ａ側に向かって）斜めに対向している。このバネ１６は、先端部１６ａが挿入された電線の端末を上部１５ａに圧接させて接続し、後端部１６ｂのエッジが前記端末に食い込んで係止して引き抜けを防止する。
【００１７】
ケース１２の前壁１２ａの下部にはリセットプッシャ１７が上下動可能に装着され、下端部に設けられた押圧部１７ａがバネ１６の後端部１６ｂの一側角部に当接している。このリセットプッシャ１７は、押し下げられると、押圧部１７ａがバネ１６の後端部１６ｂを押し下げてエッジの電線の端末への食い込みを解除し、前記電線の取り付け・取り外しを可能としている。これにより、ワンタッチ端子台１１が構成される。
【００１８】
次に、端子台の使用について説明する。
図６に示すようにフレーム２１には、回路基板２２が装着支持されており、当該回路基板２２の上面一側端部には端子台１１の各端子１５と対応してねじ端子２３が実装されている。ねじ端子２３は、上面２３ａにねじ孔２３ｂが設けられ、両側部２３ｃの下端が回路基板２２のランド（図示せず）に実装されてハンダ付けされている。即ち、各ねじ端子２３は、従来のコネクタ線に代えて夫々回路基板２２の＋電源、−電源、信号線の各ランドに電気的に接続されている。また、回路基板２２には端子台１１を取り付けた際に両側部１２ｃ及び各隔壁１２ｆの下部を挿通させて後壁１２ｄの下端１２ｄ’を当該回路基板２２の上面に当接させるためにスリット２２ｃが設けられている。
【００１９】
図６に示すようにフレーム２１のねじ端子２３と対向する側壁２１ａには上方に開口する開口部２１ｂが設けられて端子台１１の取付部とされ、両側に端子台１１の両側壁１２ｃの凸条１２ｅが嵌合可能な凹溝２１ｃが設けられている。図７に示すように側壁２１ａの開口部２１ｂの上端近傍が厚肉とされてボス１２ｊの取付部２１ｄとされ、ボス１２ｊの端面を当接係止可能とされ、取付孔１２ｉと対応して孔２１ｅが穿設されている。尚、この孔２１ｅは、ねじ孔でもよく或いは単なる孔でもよい。
【００２０】
図６及び図７に示すように端子台１１は、フレーム２１の開口部２１ｂの上方から両側部の凸条１２ｅを凹溝２１ｃに嵌合されながら下降され、各端子１５の先端部１５ｆが基板２２の対応する各ねじ端子２３の上面２３ａに載置される。この状態において、図７に示すようにケース１２の側壁１２ｃ、隔壁１２ｆの下部が回路基板２２のスリット２２ｃを挿通して下方に突出し、後壁１２ｄの下端面１２ｄ’が回路基板２２の上面に当接係止され、側壁１２ｃの前部１２ｃ’と後部１２ｃ”との段差部がフレーム２１の側面２１ａの開口部２１ｂの下方に当接する。また、ボス１２ｊの先端がフレーム２１の取付部２１ｄに当接して係止される。尚、ボス１２ｊが側壁上端１２ｄに係止されることで、側壁１２ｃの前部１２ｃ’と後部１２ｃ”との段差部をフレーム２１の側面２１ａに必ずしも当接させることはない。
【００２１】
次いで、ボルト２４により各端子１５の先端部１５ｆが各ねじ端子２３に締結固定される。これにより、端子１５と回路基板２１とがねじ端子２３により機械的に固定され、且つ電気的に接続される。これにより、端子１５と回路基板２２との誤配線が確実に防止される。また、ボルト２５が端子台１１の前壁１２ａの取付孔１２ｉを通してフレーム２１の孔２１ｅにねじ込まれてフレーム２１に端子台１１を固定する。これにより、端子台１１がフレーム２１に強固に固定される。端子台１１は、側壁１１ｃの凸状１１ｅ及びボルト２５によりフレーム２１に固定されることで、回路基板２２への荷重が大幅に低減され、破損等が防止される。この状態において端子台１１の前壁１２ａが斜め下方を向いている。
【００２２】
次いで、リセットプッシャ１７を押してバネ１６の後端部１６ｂを押し下げながら挿入孔１２ｇから電線２７の端末２７ａ（図５）を挿入してバネ１６の先端部１６ａと端子１５の上部１５ａとの間に押し込み、先端をストッパ１５ｃに突き当ててリセットプレッシャ１７の押圧力を解除する。電線２７の端末２７ａは、バネ１６の先端部１６ａのばね力により端子１５の上部１５ａの内面に圧接されて電気的に接続され、後端部１６ｂのエッジがばね力により端末２７ａに食い込まれて係止され、抜けが防止される。
【００２３】
図２に示すようにケース１２の前壁１２ａが前方斜め下方に傾斜し、電線の挿入孔１２ｇが前方斜め下方に開口していることで、電線装着の作業性の向上、及び窓１２ｈから電線２７の端末２７ａが端子１５に接続されているかを目視確認する際の視認性の向上が図られる。
電線２７を取り外す場合には、作業者がリセットプッシャ１７をばね力に抗して押し込み、バネ１６の後端部１６ｂの端末２７ａへの食い込みを解除して電線２７を引っ張ることで、簡単に取り外すことができる。このようにしてワンタッチで端子台１１に電線２７を取り付け・取り外すことができる。
【００２４】
【発明の効果】
以上説明したように、請求項１の発明では、フレームに支持されている回路基板の上方から端子台の各端子の先端部を回路基板の対応する各ねじ端子に載置してボルトにより締結固定することで、端子と回路基板とがねじ端子により機械的・電気的に接続されると共に、端子と回路基板側との誤配線が確実に防止される。また、ケースの前壁が斜め下方に傾斜し、電線の挿入孔が前方斜め下方に開口していることで、電線装着の作業性の向上が図られる。
【００２５】
請求項２、３の発明では、ケースの前壁は、フレームに取付孔を通してボルト固定され、側壁の段差部が前記フレームに係止されることで、端子台が前記フレームに強固に固定される。
請求項４の発明では、端子台をフレームに取り付ける際にケース側壁の外面略中央に設けられた凸条を前記フレームに設けられた凹溝に係合させることで、簡単に装着することができる。
【図面の簡単な説明】
【図１】本発明に係る端子台の斜視図である。
【図２】図１に示す端子台の側面図である。
【図３】図２の矢線ＩＩＩ方向端面図である。
【図４】図２の矢線ＩＶ方向端面図である。
【図５】図３の矢線Ｖ―Ｖに沿う断面図である。
【図６】図１に示す端子台を回路基板及びフレームに取り付ける場合の説明図である。
【図７】図６に示す端子台を回路基板及びフレームに取り付けた状態の断面図である。
【図８】従来の端子台の断面図である。
【符号の説明】
１１　端子台
１２　ケース
１３　端子収納部
１５　端子
１６　バネ
１７　リセットプッシャ
２１　フレーム
２２　回路基板
２３　ねじ端子
２４、２５　ボルト
２７　電線
２７ａ　端末
【図１】
2004022465.tif 000003
【図２】
2004022465.tif 000004
【図３】
2004022465.tif 000005
【図４】
2004022465.tif 000006
【図５】
2004022465.tif 000007
【図６】
2004022465.tif 000008
【図７】
2004022465.tif 000009
【図８】
2004022465.tif 000010